(57)【要約】【課題】  消費者が、ベビーカーを購入する場合に、自分のニーズに適したベビーカーをより効率的に選択できるシステムを提供する。【解決手段】  ベビーカー購入者が、そのニーズをベビーカーの持つ製品情報の項目中から選択し、選択した項目について、ニーズの重要度を示す百分率を入力することにより得られるユーザデータファイルと、製品情報について項目別に入力された製品固有値と、その製品固有値が該当する項目において他の製品固有値と比較して得られる相対値を有する製品情報データベース情報とを検証、演算することによって、入力したベビーカー購入者にとってのベビーカーの適格度を点数化し、高得点順に表示する。その表示された結果により、ベビーカー購入者は、自分のニーズに適したベビーカーを選択することができる。【選択図】図１
2013127763.tif 000002
【特許請求の範囲】
【請求項１】
入力者が、ベビーカー購入者のニーズをベビーカーの製品情報項目から選択し、選択した項目について、ベビーカー購入者にとってのニーズの重要度を示す百分率を入力することにより得られるユーザデータファイルと、製品情報について項目別に入力された製品固有値と、その製品固有値が該当する項目において他の製品固有値と比較して得られる相対値を有する製品情報データベースを有し、そのユーザデータファイルと製品情報データベースとを検証、演算することによって、ニーズに対する製品情報データベース内ベビーカーの適格度を点数化し、高得点順に表示するベビーカー購入・販売・製造支援システム。
【請求項２】
請求項１記載のシステムであって、ユーザデータファイルを蓄積するユーザデータファイル蓄積データベースを有するベビーカー購入・販売・製造支援システム。
【請求項３】
請求項１記載のシステムであって、ユーザデータファイルと製品情報データベースとを検証、演算する際に、項目別百分率と項目別相対値とを乗じ、その乗じた値を集計することで製品の適格度を示す方法を使用することを特徴とするベビーカー購入・販売・製造支援システム。
【発明の詳細な説明】
【技術分野】
【０００１】  この発明は、ベビーカーの購入者が、複数のベビーカーの中から所望のベビーカーを選択するシステムに関し、特にその選択の効率化を図る技術に関するものであると同時にベビーカーの販売者においても、販売の効率化を図り、また製造者においても、製造の効率化を図る技術に関するものである。
【背景技術】
【０００２】  従来、ベビーカーを購入する際には、購入者は複数のメーカーホームページ、カタログ、専門雑誌等で製品情報を調べたり、小売店の広告、店頭またはホームページ上で、製品の操作方法や価格等の情報を入手したりして、購入者のニーズに合ったベビーカーを比較・選択し、購入している。【０００３】  また、購入者は自分のニーズに合ったベビーカーを選択するために、専門雑誌やホームページなどで提供されているベビーカーの選び方に関する情報を利用して、購入するベビーカーを決定している場合もある。
【先行技術文献】
【０００４】
【非特許文献】
【非特許文献】  ウィメンズモール  ｈｔｔｐ：／／ｗｍ．ｂｅｎｅｓｓｅ．ｎｅ．ｊｐ／ｃｏｎｔｅｎｔｓ／ｈｏｗｔｏ／ｓｔｒｏｌｌｅｒ．ｈｔｍｌ
【発明の概要】
【発明が解決しようとする課題】
【０００５】  解決しようとする問題点は、本来各購入者が所望するベビーカーに求めるニーズは、その住環境やライフスタイルにより千差万別であるところ、従来の方法では所望のベビーカーを選択するまでに膨大な時間を要する点、また情報収集不足により選択したベビーカーが購入者のニーズにそぐわない場合が生じるという点である。【０００６】  また、小売店では購入者のニーズを把握し、そのニーズに適したベビーカーを提示することに膨大な時間を要したり、購入者のニーズの把握が不十分であったり、あるいは販売者の製品知識が不十分であった場合には、購入者のニーズに適さないベビーカーを購入してしまう場合があるという点にある。【０００７】  さらに製造者においては、購入者のニーズの把握が困難なため製品に付与する機能の優先順位や製品仕様の決定が困難だったり、それらが決定しても、その製品の製造数量の確定が困難だったりする点にある。
【課題を解決するための手段】
【０００８】  本発明は、上記問題点を解決するために、ベビーカー購入者が、そのニーズをベビーカーの持つ製品情報の項目中から選択し、選択した項目について、自分にとってのニーズの重要度を示す百分率を入力することにより得られるユーザデータファイル図３と、製品情報について項目別に入力された製品固有値と、その製品固有値が該当する項目において他の製品固有値と比較して得られる相対値を有する製品情報データベース図５内の該当情報とを検証、演算することによって、入力したベビーカー購入者にとっての、製品情報データベース内ベビーカーの適格度を点数化し、高得点順に表示するものである。【０００９】  また、第２の問題解決手段は、第１の問題解決手段におけるベビーカー購入者の入力行為を、販売者がベビーカー購入者から必要な情報を得て入力することによってなされる。販売者が、ベビーカー購入者に入力せしめても同様である。【００１０】  さらに、第３の問題解決手段は、上記第１の解決手段で得られたユーザデータファイルを蓄積し、そのデータを項目ごとに集計し、全体データにおける割合や件数を算出することによってなされる。
【発明の効果】
【００１１】  本発明により、ベビーカー購入者は自分のニーズに適した製品選定を、短時間で効率的に行うことが可能となる。【００１２】  また、販売者は、本システムで得られた購入者のベビーカーに求めるニーズをもとに、購入者のニーズにより適したベビーカーを提示することが可能となるため、親身な購買の際のアドバイスとなるだけでなく、接客時間の短縮を図ることで、業務の効率化が可能となる。【００１３】  さらに、製造者は、本システムで得られたユーザデータファイル図３を蓄積したユーザデータファイル蓄積データベース図４を利用することによって、市場ニーズを把握し、ベビーカーに付与する機能の優先順位を決定したり、機能の組み合わせを決定したり、さらには製造するベビーカーの製品情報と本データベースを検証することでその製品の需要を予測することが可能となり、製造の効率化を図ることが可能となる。
【図面の簡単な説明】
【００１４】
【図１】  本発明全体のシステム構成図
【図２】  製品情報を項目別に配列し、ユーザニーズの重要度を入力するためのユーザデータファイルフォーマット
【図３】  ユーザニーズの様態を示すユーザデータファイル
【図４】  ユーザデータの蓄積データベース
【図５】  ベビーカーの製品情報と製品情報項目別の配点を格納したデータベース
【図６】  ユーザニーズに適したベビーカーを、高得点順に配列したファイル
【発明を実施するための形態】
【００１５】  以下、本発明の実施の形態を図１〜図６を利用し、その構成とその作用を操作及び作動の流れに沿って説明する。
【００１６】  本発明は、コンピュータソフトウェアをその根幹としており、ベビーカー購入者のニーズ情報を入力するキーボードもしくはタッチパネル式ディスプレイ、ベビーカーの製品情報をその項目別に配列し且つ購入者がベビーカーに求める項目の重要度を百分率で入力するためのユーザデータファイルフォーマット図２、ベビーカーの製品情報について項目別に入力された製品固有値と、その製品固有値が該当する項目において、他の製品固有値と比較して得られる相対値を有する製品情報データベース図５、購入者がユーザデータファイルフォーマットに入力して得られるユーザデータファイル図３と製品情報データベース図５から、購入者にとっての製品別点数を検証・演算・表示する機構を主な構成とし、さらに、ベビーカー購入者の入力情報を蓄積するユーザデータファイル蓄積データベース図４を有する。
【００１７】  図１において、ベビーカー購入者は、キーボードの操作もしくはディスプレイにタッチする操作によって、ディスプレイ上に表示されたベビーカーの製品情報項目を示すユーザデータファイルフォーマット図２の中から、自分のニーズに従って項目を選択し、選択した項目に対して、購入するベビーカーに求める項目の重要度を百分率で入力する。ただし、入力した百分率の合計が１００％になるように入力しなければならない。また、選択しなかった項目の百分率は０％が付与される。
【００１８】  上記操作によって得られたユーザデータファイル図３は、ユーザデータファイル蓄積データベース図４に蓄積されると同時に製品情報データベース図５の同じ項目の項目別相対値と、先に入力した項目別百分率を乗じて、項目別に得られた数値を製品別に合計して、各製品に対して、入力されたニーズ応じた得点として付与する。
【００１９】  上記演算によって得られた数値とその製品名を、得点の高い順から低い順へ配列することにより、製品別点数表示ファイル図６を得る。
【００２０】  こうして得られた製品別点数表示ファイル図６を、出力手段を通じて紙に印字すること若しくはディスプレイに表示することによって購入者は、自分のニーズに適したベビーカーを認知することが可能となる。
【００２１】  また、販売者は、ベビーカー購入者から必要な情報を得て、上記ベビーカー購入者入力行為を代行することによって、或いは、販売者が、ベビーカー購入者に上記入力行為をなさしむことによって、製品別点数表示ファイル図６を得る。
【００２２】  こうして得られた製品別点数表示ファイル図６を、出力手段を通じて紙に印字すること若しくはディスプレイに表示することによって販売者は、ベビーカー購入者のニーズに適したベビーカーを認知・提示することが可能となり、結果として親身な購入のアドバイスとなるだけでなく、接客時間の短縮を図ることで、業務の効率化が可能となる。
【００２３】  また、製造者は、ベビーカー購入者の入力情報を蓄積するユーザデータファイル蓄積データベース図４を利用することによって市場ニーズを把握し、ベビーカーに付与する機能の優先順位を決定したり、機能の組み合わせを決定したり、さらには製造するベビーカーの製品情報と本データベースを検証することで、その製品の需要を予測することが可能となり、製造の効率化を図ることが可能となる。
【００２４】  以上のように、本実施形態によれば、ベビーカー購入者は自分のニーズに適したベビーカーの選択の効率化を、ベビーカー販売者は販売の効率化を、ベビーカー製造者は製造の効率化を、それぞれ図ることができる。
【図１】
2013127763.tif 000003
【図２】
2013127763.tif 000004
【図３】
2013127763.tif 000005
【図４】
2013127763.tif 000006
【図５】
2013127763.tif 000007
【図６】
2013127763.tif 000008